(57)【特許請求の範囲】
【請求項１】
外部メディアからコンテンツを取得する、デジタルＴＶ・ラジオなどの放送波を受信する第一コンテンツ取得部と、インターネット上で配信されているコンテンツを取得する第二コンテンツ取得部と、メールや電話を受信する第三コンテンツ取得部と、
前記複数のコンテンツ取得部の全部又は一部にて取得される複数のコンテンツを各子画面に配置したマルチ画面にレイアウトするマルチ画面レイアウト部と、
レイアウトされたマルチ画面を表示する表示部と、を有し、
第三コンテンツ取得部は、メールや電話を受信した際には、コンテンツの受信を示す情報を上記子画面の位置に表示させ、
所定の処理を子画面に関して実行するために子画面の選択入力を受付けるための子画面選択部をさらに有し、
前記子画面選択部は、
同じ子画面を選択入力するごとに、表示されるコンテンツの内容を変化させるコンテンツ内容変化手段を有する携帯端末装置。
【請求項２】
前記複数のコンテンツ取得部の全部又は一部は、
更新命令取得手段と、
取得した更新命令に従って間欠的にコンテンツを取得する間欠取得手段と、
を有する請求項１に記載の携帯端末装置。
【請求項３】
表示部は、
各子画面に表示するコンテンツの属性情報を表示するコンテンツ属性情報表示手段を有する請求項１又は２に記載の携帯端末装置。
【請求項４】
表示部は、
子画面の位置にコンテンツ取得部としての電話機能部からコンテンツの受信を示す情報が出力された場合には、その子画面を他の子画面から識別して表示するための処理をする識別処理手段をさらに有する請求項１から３のいずれか一に記載の携帯端末装置。
【請求項５】
表示部は、
コンテンツ取得部としての電話機能部からコンテンツの受信を示す情報が出力された場合には、その子画面にポインタが位置する処理をする識別処理手段をさらに有する請求項１に記載の携帯端末装置。
【請求項６】
前記識別処理手段は、
メールまたは電話を受信した際に送信相手の電話番号などを子画面に表示するように構成されている請求項５に記載の携帯端末装置。
【請求項７】
表示部は、
メールまたは電話を受信した際に報知する手段の設定を識別する報知識別手段を有し、
子画面の位置にメールまたは電話の受信に関係する情報が登録されている場合には、報知識別手段での識別結果に応じて、設定内容を識別可能に表示する報知識別表示手段を有する、請求項１から６のいずれか一に記載の携帯端末装置。
【請求項８】
表示部は、
子画面の位置に表示されているデータ放送の表示内容の変更を識別するデータ放送変更識別手段を有し、
データ放送変更識別手段で表示内容の変更を識別した場合には、利用者に報知するデータ放送変更報知部をさらに有する、請求項１から７のいずれか一に記載の携帯端末装置。
【発明の詳細な説明】
【技術分野】
【０００１】
本発明は、メールの送受信機能、Ｗｅｂ閲覧機能、ラジオ放送受信機能、ＴＶ放送受信機能など、様々な機能を有する携帯端末装置に関する。
【背景技術】
【０００２】
近年の携帯電話などの携帯端末装置には、電話としての通話機能のほか、Ｅメールの送受信機能、Ｗｅｂ閲覧機能、ラジオ放送受信機能、ＴＶ放送受信機能、など様々な機能が付与されている。利用者は必要に応じてこれらの機能を起動して様々なコンテンツを取得する。すなわち、現在では携帯端末装置を一つ所持していると様々な外部メディアから複数の情報を取得することが可能である。しかしながら、現在の携帯端末装置では、複数の外部メディアからコンテンツを同時に取得し、一つの画面で同時に表示することはできない。また、複数のコンテンツの更新情報などを一つの画面で把握できるように表示することもできない。当該制限により、以下のような不都合が生じうる。
【０００３】
例えば、ある利用者が携帯端末装置のＷｅｂ閲覧機能を利用して、ある企業のホームページを閲覧し、心待ちにしていた本日発表予定の懸賞応募の結果をいち早く確認しようとしていたとする。かかる場合、利用者は空き時間になると携帯端末装置のＷｅｂ閲覧機能を利用してその企業のホームページを閲覧し、更新情報を確認すると予想される。そして、いまだ結果が掲載されていないと、他の機能（例：ＴＶ放送受信機能など）を利用するためＷｅｂ閲覧機能を一度終了させる。その後、頃合いをみて、使用中の機能を終了させ、Ｗｅｂ閲覧機能を起動し、検証結果を確認する。そして、いまだ結果が掲載されていないと、Ｗｅｂ閲覧機能を終了させ、他の機能（例：ＴＶ放送受信機能など）を利用する。このように、一つの画面で同時に複数のコンテンツを確認することができない場合、何度も機能の終了と起動を繰り返すという面倒な操作を行わなければならないという不都合が生じる。
【０００４】
その他にも、例えば、ＴＶ放送受信機能を利用してＴＶ番組の視聴をしている利用者が、同時刻に放送されているラジオ番組で本日放送予定のお気に入りの曲が流れた際には、ラジオ放送受信機能に切り替えてラジオ放送を視聴しようと考えていたとする。かかる場合、一つの画面上で複数のコンテンツの放送情報などを確認できなければ、利用者は、ＴＶ放送受信機能を利用してＴＶ番組を視聴しながら、頃合をみて、ＴＶ放送受信機能を終了してラジオ放送受信機能を起動し、ラジオ放送の放送内容を確認する。そして、未だお気に入りの曲が放送されていなければ、ラジオ放送受信機能を終了させ、再び、ＴＶ放送受信機能を起動するという操作を繰り返すことになる。
【０００５】
このように、一つの画面上で複数のコンテンツを閲覧したり、また、コンテンツの更新情報、放送内容などを確認したりすることができないと、ある機能（例：ＴＶ放送受信機能を利用したＴＶ番組の視聴など）を利用してコンテンツを視聴などしている際に、他の機能（例：Ｗｅｂ閲覧機能を利用したあるホームページの閲覧など）を利用して他のコンテンツを閲覧したいと望む場合は、その都度、使用中の機能を終了させて、新たに別の機能を起動させるという操作を行う必要があり非常に不便である。
【０００６】
また、ある機能（例：ＴＶ放送受信機能を利用したＴＶ番組の視聴など）を利用してコンテンツを視聴などしている際に、他の機能（例：ラジオ放送受信機能を利用したラジオ番組の視聴など）を利用して視聴するコンテンツの一部分のみを視聴することを希望する場合、その一部分がいつ放送されるのか明確でないと、利用者は自己の勘など不明確な情報に頼って希望するコンテンツが放送されているか判断することになる。その結果、何度も起動する機能を切り替えて、現在放送されているコンテンツを確認するという操作を繰り返すという不都合な事態が生じうる。さらには、希望するコンテンツの視聴を逃してしまうというような不都合も生じうる。
【０００７】
そこで、前記のような不都合を回避する手段として、特許文献１の発明を利用する手段などが考えられる。特許文献１の発明は、放送受信装置に信号処理などの面で負担をかけず、あるＴＶ番組を視聴しながら同時刻に放送されている他のＴＶ番組を容易に把握することができるデジタル放送受信装置に関する発明である。具体的には、各放送局のＴＶ番組を一つの画面にマルチ画面表示するのであるが、各放送局のＴＶ番組をすべて映像情報によりマルチ画面表示するのでなく、映像情報を表示する画面と「番組名」などのテキスト情報を表示する画面によりマルチ画面表示するものである。そして、「番組名」などのテキスト情報を取得する手段として、デジタル放送に含まれている電子番組表などを利用する手段が記載されている。かかる発明を利用することで、ＴＶ放送受信装置にデータ処理面などで過度の負担をかけずに、複数の放送局が発信している複数のコンテンツを同時に把握することが可能となる。しかしながら、特許文献１の発明はデジタルテレビ放送受信装置に関するものであり、ＴＶ放送されている複数のコンテンツを同時に把握することは可能であるが、他のメディアから取得可能なコンテンツ、例えば、Ｗｅｂ上の情報やラジオ放送などのコンテンツを同時に把握可能には構成されていない。また、特許文献１の発明でマルチ画面表示されるテキスト情報は、電子番組表を利用した「番組名」などであり、どのような番組が放送されているかは把握可能であるが、その番組内で現在どのような内容が放送されているか（例：歌手Ａが曲名Ｂを歌っているなど）を把握可能には構成されていない。
【０００８】
その他に、前記不都合を回避する手段として、特許文献２の発明を利用する手段などが考えられる。特許文献２の発明は、携帯端末装置に関する複数の設定内容（例：「着信音」「受信音」「アラーム」など）を、ステータス情報（例：「設定している着信音パターン」「着信音量」「アラーム設定時間」「アラーム音」「アラーム音量」など）と共にマルチ画面表示するものである。これにより、利用者は携帯端末装置の設定を確認し変更などする際に、メニュー画面から設定画面（例：「着信音設定画面」「アラーム設定画面」など）を呼び出して、現在の設定状況を確認し、必要に応じて設定し直すなどの面倒な操作を行わずに、マルチ画面を見ることで容易に現在の設定状況を把握することが可能になるというものである。当該発明により、一つの画面で複数の情報を利用者に提供可能になる。しかしながら、特許文献２の発明は、携帯端末装置に関する複数の設定内容を同時に把握可能に構成されたものであり、複数の外部メディアから取得した最新情報などを同時に把握可能には構成されていない。また、マルチ画面表示される内容は、携帯端末装置の設定内容であり、これらの内容は利用者の操作により変更されるものである。よって、表示内容が自動的に新しい内容に変更されるようには構成されていない。
【特許文献１】特開平２００７−３６７２６
【特許文献２】特開２００６−１１３６３７
【発明の開示】
【発明が解決しようとする課題】
【０００９】
そこで、本発明では、携帯端末装置の限られた大きさの画面の中で、複数の外部メディアから取得した複数のコンテンツの内容を同時に把握することが可能な携帯端末装置を提供することなどを課題とする。また、携帯端末装置に信号処理などの面で過度の負担をかけずに、利用者が希望するコンテンツの最新の情報を利用者に提供することが可能な携帯端末装置を提供することなどを課題とする。
【課題を解決するための手段】
【００１０】
上記課題を解決するための手段として、以下のような発明などを提供する。
【００１１】
複数の外部メディアから取得した複数のコンテンツをマルチ画面表示できる携帯端末装置を提供する。また、複数の外部メディアから取得したコンテンツの内容を把握可能なテキスト情報によりマルチ画面表示する携帯端末装置を提供する。さらに、取得したコンテンツは、常時または間欠的（選択的）に更新することが可能な携帯端末装置を提供する。
【００１２】
具体的には、以下の発明を提供する。
【００１３】
第一発明では、外部メディアからコンテンツを取得する複数のコンテンツ取得部と、複数のコンテンツ取得部の全部又は一部にて取得される複数のコンテンツを各子画面に配置したマルチ画面にレイアウトするマルチ画面レイアウト部と、レイアウトされたマルチ画面を表示する表示部とを有する携帯端末装置を提供する。
【００１４】
第二発明では、第一発明を基本とし、さらに、所定の処理を子画面に関して実行するために子画面の選択入力を受付けるための子画面選択部を有する携帯端末装置を提供する。
【００１５】
第三発明では、第二発明を基本とし、さらに、子画面選択部は、ポインタの位置を取得するポインタ位置取得手段と、ポインタが位置する子画面を所定の処理を実行する子画面として選択するポインタ型選択手段とを有する携帯端末装置を提供する。
【００１６】
第四発明では、第一発明から第三発明のいずれか一を基本とし、さらに、コンテンツ取得部は、子画面にレイアウトされるコンテンツとして外部メディアからタイトル情報のみを取得可能なタイトル情報取得手段と、子画面にレイアウトされるコンテンツとして外部メディアからタイトル情報以外の情報も取得可能な非タイトル情報取得手段とを有する携帯端末装置を提供する。
【００１７】
第五発明では、第一発明から第四発明のいずれか一を基本とし、さらに、コンテンツ取得部は、更新命令取得手段と、取得した更新命令に従って間欠的にコンテンツを取得する間欠取得手段とを有する携帯端末装置を提供する。
【００１８】
第六発明では、第一発明から第五発明のいずれか一を基本とし、さらに、表示部は、各子画面に表示するコンテンツの属性情報を表示するコンテンツ属性情報表示手段を有する携帯端末装置を提供する。
【００１９】
第七発明では、第六発明を基本とし、さらに、表示画面中におけるコンテンツ属性情報表示手段によって表示されるコンテンツ属性情報表示領域と、マルチ画面レイアウト部によって構成される子画面表示領域とのディスプレイ中における配分を管理するための配分管理部を有し、マルチ画面レイアウト部は、配分管理部にて定められた配分に応じて子画面の大きさを調整する調整手段を有する携帯端末装置を提供する。
【００２０】
第八発明では、第四発明、第七発明を基本とし、さらに、コンテンツ取得部は、調整手段にて調整された子画面の大きさに応じてタイトル情報取得手段を機能させるか、非タイトル情報取得手段を機能させるかを選択する機能選択手段を有する携帯端末装置を提供する。
【００２１】
第九発明では、第一発明から第八発明のいずれか一を基本とし、さらに、表示部は、子画面の一にコンテンツ取得部としての電話機能部からコンテンツの受信を示す情報が出力された場合には、その子画面を他の子画面から識別して表示するための処理をする識別処理手段をさらに有する携帯端末装置を提供する。
【００２２】
第十発明では、第一発明から第九発明のいずれか一を基本とし、さらに、表示部は、メールまたは電話を受信した際に報知する手段の設定を識別する報知識別手段を有し、子画面の一にメールまたは電話の受信を示す情報が登録されている場合には、報知識別手段での識別結果に応じて、設定内容を識別可能に表示する報知識別表示手段を有する、請求項１から９のいずれか一に記載の携帯端末装置を提供する。
【００２３】
第十一発明では、第一発明から第十発明のいずれか一を基本とし、さらに、表示部は、子画面の一に表示されているデータ放送の表示内容の変更を識別するデータ放送変更識別手段を有し、データ放送変更識別手段で表示内容の変更を識別した場合には、利用者に報知するデータ放送変更報知部をさらに有する携帯端末装置を提供する。
【００２４】
第十二発明では、外部メディアからコンテンツを取得する複数のコンテンツ取得ステップと、複数のコンテンツ取得ステップの全部又は一部にて取得される複数のコンテンツを各子画面に配置したマルチ画面にレイアウトするマルチ画面レイアウトステップと、レイアウトされたマルチ画面を表示する表示ステップとからなり、コンテンツ取得ステップは、子画面にレイアウトされるコンテンツとして外部メディアからタイトル情報のみを取得可能なタイトル情報取得サブステップと、子画面にレイアウトされるコンテンツとして外部メディアからタイトル情報以外の情報も取得可能な非タイトル情報取得サブステップとを有する携帯端末装置のマルチ画面表示方法を提供する。
【発明の効果】
【００２５】
本発明の携帯端末装置により、利用者は、一つの携帯端末装置を利用して複数のコンテンツの内容、更新情報などを同時に把握することが可能になる。これにより、利用者は、携帯端末装置の一つの機能を利用してコンテンツを取得し視聴などしている最中においても、他の機能を利用して取得可能なコンテンツの更新状況や放送内容などを把握することが可能になる。その結果、希望するコンテンツを見逃す不都合を回避することが可能になるほか、他のコンテンツの更新状況などを確認するために、何度も面倒な操作を繰り返すという不都合も回避することが可能となる。
【発明を実施するための最良の形態】
【００２６】
以下本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１から３は主として請求項１、８などについて説明する。実施形態４は主として請求項２などについて説明する。実施形態５は、主として請求項３などについて説明する。実施形態６は、主として請求項４などについて説明する。実施形態７は、主として請求項５、６、７などについて説明する。
【００２７】
本実施形態の携帯端末装置は、図１に示すように、一つの画面上で、複数の外部メディアから取得したコンテンツを同時に表示することが可能であることを特徴とする。従来の携帯端末装置は、一つの画面上では一つのメディアから取得した一つのコンテンツしか表示することができなかった。そのため、あるメディアから取得したコンテンツを表示中に、他のメディアから取得可能なコンテンツの情報を表示したいと望む場合は、起動中の機能を終了して別の機能を起動する必要があった。
【００２８】
本実施形態の携帯端末装置は、前記問題を解決するためになされたものであり、利用者は、本実施形態の携帯端末装置を利用することで、複数メディアから取得した複数のコンテンツを一つの画面上で同時に把握することが可能となる。
＜実施形態１の機能的構成＞
【００２９】
図２は、本実施形態の携帯端末装置の機能ブロックの一例を表す図である。図２に示すように本実施形態の「携帯端末装置」（０２００）は、複数の「コンテンツ取得部」（０２０１）と、「マルチ画面レイアウト部」（０２０２）と、「表示部」（０２０３）を有する。また、「データ放送変更報知部」（０２０６）を有し、「表示部」（０２０３）は、「データ放送変更識別手段」を有してもよい。
【００３０】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００３１】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００３２】
以下、本実施形態の「携帯端末装置」（０２００）、「コンテンツ取得部」（０２０１）、「マルチ画面レイアウト部」（０２０２）、「表示部」（０２０３）と、「データ放送変更報知部」（０２０６）と、「表示部」（０２０３）の「データ放送変更識別手段」の機能について説明する。
【００３３】
本実施形態の「携帯端末装置」（０２００）は、電話機能、メールの送受信機能、Ｗｅｂ閲覧機能、ラジオ放送受信機能、ＴＶ放送受信機能など様々な機能を有する端末装置であり、例えば、携帯電話などが該当する。
【００３４】
「コンテンツ取得部」（０２０１）は、外部メディアからコンテンツを取得するよう構成されている。「外部メディア」とは、デジタルＴＶやデジタルラジオなどのコンテンツを配信している放送局、インターネット上でコンテンツを配信しているサーバなど、携帯端末装置を利用して取得可能なコンテンツを配信しているあらゆるものが該当する。また、「外部メディアから取得するコンテンツ」とは、前記外部メディアが利用者のために配信している静止画像、動画像、文字、音声、などからなる情報が該当する。ここで、携帯端末装置を利用して受信するメールや電話についても、そのコンテンツは、静止画像、動画像、文字、音声、などからなる情報である。よって、本実施形態においては、これらも外部メディアから取得するコンテンツに該当する。すなわち、コンテンツ取得部（０２０１）とは、デジタルＴＶやデジタルラジオの放送波を受信したり、インターネット上で配信されているコンテンツを取得したり、メールや電話を受信したりするように構成されているものである。本実施形態の携帯端末装置は、前記コンテンツ取得部を複数有するように構成しており、それぞれのコンテンツ取得部（０２０１）が、それぞれの外部メディアからコンテンツを取得するように構成されている。なお、本放送とデータ放送などの複数のコンテンツを表示するデジタルＴＶなどは、多重化されて送られてくる放送波を一つのコンテンツ取得部（「デジタルＴＶ・ラジオチューナ」）で取得し、それをマルチ画面表示するものである。一方、本実施形態の携帯端末装置は、複数のコンテンツ取得部（「デジタルＴＶ・ラジオチューナ」、「ネットワークＩ／Ｆ」など）で取得した複数のコンテンツを、以下で説明する「マルチ画面レイアウト部」（０２０２）でレイアウトし、表示部（０２０３）でマルチ画面表示するよう構成されている。かかる点で、従来技術とは異なる。
【００３５】
なお、複数のコンテンツ取得部（０２０１）は、利用者が入力した設定内容に応じ、複数の外部メディアから所定のコンテンツを取得するよう構成されている。そして、複数のコンテンツ取得部（０２０１）が取得した複数のコンテンツは、以下で説明するマルチ画面レイアウト部（０２０２）でマルチ画面にレイアウトされる。ここで、コンテンツ取得部（０２０１）が、設定内容に応じて取得するコンテンツを認識する手段としては以下のようなものが考えられる。例えば、利用者はあらかじめ、「マルチ画面レイアウトする子画面の数」、「各子画面に表示するコンテンツ」などを入力し、携帯端末装置はそれらの入力情報を「マルチ画面登録情報」として不揮発性メモリなどに保存しておく。そして、コンテンツ取得部（０２０１）は、「マルチ画面登録情報」を利用することで、取得するコンテンツを認識するよう構成されていてもよい。参考までに、マルチ画面登録情報のＸＭＬデータの一例を、図２５に示す。利用者が「マルチ画面登録情報」を登録する手段については、以下で説明するので、ここでの詳細な説明は省略する。
【００３６】
「マルチ画面レイアウト部」（０２０２）は、複数のコンテンツ取得部の全部又は一部にて取得される複数のコンテンツを各子画面に配置したマルチ画面にレイアウトするよう構成されている。ここで、「子画面」とは、携帯端末装置の画面上で複数のコンテンツをマルチ画面表示する際に、一つのコンテンツのみを表示している領域を指す。すなわち、複数の子画面が配置されることでマルチ画面が形成される。子画面のレイアウト態様は特段制限されず、例えば、すべての子画面の大きさを等しくレイアウトしてもよいし、それぞれの子画面の大きさをばらばらにレイアウトしてもよい。前記レイアウト態様は利用者が選択可能であり、選択内容は「マルチ画面登録情報」として登録されるように構成されていてもよい。ここで、それぞれの子画面の大きさをばらばらにレイアウトする際は、利用者がそれぞれの子画面の大きさを変更できるよう構成されていてもよい。利用者がそれぞれの子画面の大きさを変更する方法としては、例えば、タッチパネル方式や、カーソルなどで一つの子画面を選択し、数字キーなどで数値を入力したりする方法などが考えられる。一方、すべての子画面の大きさを等しく表示する際には、子画面の数に応じて、自動でマルチ画面レイアウト部（０２０２）が適切な大きさにレイアウトしてもよい。なお、マルチ画面レイアウトする各子画面の大きさも、「マルチ画面登録情報」として登録されるよう構成されていてもよい。当然、マルチ画面レイアウト及びマルチ画面数は予め決められた数値となっており、上記説明は、それを変更して使えるようにした場合の説明である。当該前提は、以下のすべての実施形態において同様である。
【００３７】
ここで、マルチ画面レイアウト部（０２０２）が、取得したコンテンツをマルチ画面の所定位置にレイアウトする手段としては以下のようなものが考えられる。例えば、マルチ画面レイアウト部（０２０２）は、前記「マルチ画面登録情報」を利用可能に構成されている。そして、コンテンツ取得部（０２０１）からコンテンツを取得すると、そのコンテンツの属性情報（例：メディア「デジタルＴＶ、Ｗｅｂなど」、そのメディアの詳細内容「７ＣＨ、ｈｔｔｐ：／／ａｋａｂｕ．ｃｏ．ｊｐなど」）を認識し、マルチ画面登録情報と照合する。このようにして、取得したコンテンツをレイアウトする子画面を認識してもよい。
【００３８】
「表示部」（０２０３）は、マルチ画面レイアウト部（０２０２）でレイアウトされたマルチ画面を画面上に表示するよう構成されている。表示部（０２０３）が、マルチ画面レイアウト部（０２０２）でレイアウトされたマルチ画面を画面上に表示した様子を図１に示す。当該図は、均等に１２分割された子画面に複数のコンテンツをマルチ画面表示したものである。右上の子画面（０１０１）は、７ＣＨのデジタルＴＶ放送を本放送のみで表示している。その左の子画面（０１０２）は、インターネット上で配信されているＡ企業のホームページを表示している。当該子画面は、十字キーなどでカーソルをその子画面に合わせ決定キーを押下すると、画面上の矢印アイコンが十字キーなどにより操作可能になる。そして、その子画面の表示のみがスクロール移動することができる。その左の子画面（０１０３）は、７ＣＨのデジタルＴＶ放送を本放送とデータ放送の両方で表示している。その下の子画面（０１０４）は、メール受信の有無を知らせるための表示をしている。当該子画面は、メールを受信した際、受信メールの送信相手の情報（名前、メールアドレスなど）や、受信したメールの本文を表示して、メールを受信した旨を知らせる。その右の子画面（０１０５）は、電話受信の有無を知らせるための表示をしている。当該子画面は、電話を受信した際には、電話の相手方の情報（名前、電話番号など）を表示し、電話を受信した旨を知らせる。なお、メールや電話を受信した際には、前記のような表示の代わりに、テキスト情報やイラストなどでメールや電話を受信した旨を利用者に知らせてもよい。当該手段は、前記イラストやテキストデータなどを内部メモリに保存しておき、コンテンツ取得部（０２０１）は、前記データを利用可能に構成しておく。そして、メールや電話を受信した際には、内部メモリより前記データを取り出し、マルチ画面レイアウト部（０２０２）でレイアウトすることで実現できる。なお、メールや電話の受信を示す情報は、特別な相手からの受信を示す情報を別の子画面で表示してもよい。当該手段は、以下のようにして実現できる。例えば、特別な相手からの受信を示す情報を表示する子画面のマルチ画面登録情報の中に、特別な相手を特定する情報（例：「電話番号」、「メールアドレス」など）を登録しておく。そして、コンテンツ取得部（０２０１）でメールや電話を受信した際には、マルチ画面レイアウト部（０２０２）は、送信先のメールアドレスや電話番号などと、登録している前記特定情報とを照合する。そして、一致した場合には、コンテンツの受信を示す情報をその子画面にレイアウトする。一方、一致しない場合には、特別な相手以外からの受信を示す情報を表示している子画面に、コンテンツの受信を示す情報をレイアウトする。そして、表示部（０２０３）は、マルチ画面を表示するよう構成されていてもよい。次に、電話受信の有無を知らせるための表示をしている子画面の右の子画面（０１０６）は、あるデジタルラジオ放送を表示している。その他の子画面の説明は省略する。
【００３９】
ここで、表示部（０２０３）は、「データ放送変更識別手段」を有してもよい。「データ放送変更識別手段」は、子画面の位置に表示されているデータ放送の表示内容の変更を識別するよう構成されている。ここでのデータ放送とは、デジタルＴＶやデジタルラジオの本放送に多重化されて送信されてくるコンテンツのことをさす。また、子画面の位置に表示されているデータ放送とは、本放送と組み合わせて表示されているものでもよいし、データ放送のみで子画面に表示されているものでもよい。「データ放送変更識別手段」が、データ放送の表示内容の変更を識別する手段としては、ＶＲＡＭ上で展開されるＢＭＬデータの記載が変更されていないか確認することで識別してもよい。または、画像認識技術により変更を識別してもよい。さらには、新たなＢＭＬデータを取得した際には、当該旨を示す情報を取得することで変更を識別してもよい。
【００４０】
データ放送変更報知部（０２０６）は、データ放送変更識別手段で表示内容の変更を識別した場合には、内容が変更した旨を利用者に報知するよう構成されている。報知する手段としては特段制限されず、例えば、音声データやバイブレーションを出力してもよい。または、更新した旨を識別できるようなイラストやテキスト情報を子画面に表示してもよい。さらには、それらを組み合わせてもよい。
【００４１】
ここで、一つのチューナを利用して複数のデジタルＴＶ放送を受信しマルチ画面表示する手段としては、例えば、画面に表示するチャンネルが順次選局されるように受信周波数などを一定周期で切り替え、それぞれの信号を受信する。そして、受信した信号に復号化などの所定の処理を行い画面に出力することで実現できる。なお、デジタルラジオ放送をデジタルＴＶ放送と同一チューナで受信する際にも、前記手段を利用してマルチ画面表示することが可能である。
【００４２】
また、コンテンツ取得部（０２０１）は、外部メディアから取得し、携帯端末装置内のＨＤＤなどに保存されている「静止画像情報」、「動画像情報」、「音声情報」、「テキスト情報」などを、ＨＤＤから取得するよう構成されてもよい。そして、マルチ画面レイアウト部（０２０２）は、前記コンテンツをもマルチ画面にレイアウトするよう構成し、表示部（０２０３）は前記コンテンツをも画面にマルチ画面表示するよう構成されてもよい。
【００４３】
＜実施形態１のハードウェア構成＞
【００４４】
図３は、上記機能的構成をハードウェアとして実現した際の構成の一例を表す図である。図に示すように、本携帯端末装置は、複数の「コンテンツ取得部」、「マルチ画面レイアウト部」、「表示部」などを構成する「ＣＰＵ」（０３０１）、「ＲＡＭ」（０３０２）、「不揮発性メモリ」（０３０３）、「ユーザＩ／Ｆ」（０３０４）、「ネットワークＩ／Ｆ」（０３０５）、「ＨＤＤ」（０３０６）、「デジタルＴＶ・ラジオチューナ」（０３０７）、「電話信号処理回路」（０３０８）、「録音装置」（０３０９）、「デジタルカメラ」（０３１０）、「オーディオプレーヤー」（０３１１）、「デジタルブックプレーヤー」（０３１２）、「ディスプレイ」（０３１３）、バス（０３１４）などを備えている。
【００４５】
以下に、図３のハードウェアで本実施形態を実現する手段の一例を説明する。
【００４６】
まず、利用者が複数のコンテンツをマルチ画面表示するよう入力すると、携帯端末装置は、ユーザＩ／Ｆ（０３０４）を介して当該入力信号を取得する。すると、当該信号をトリガに、ＲＡＭ（０３０２）で展開されたマルチ画面表示プログラムに従って、マルチ画面登録情報（子画面の数、子画面の大きさ、各子画面に表示するコンテンツなど）を取得する。そして、各子画面に表示するコンテンツを識別すると、それぞれのコンテンツ取得プログラムに従いデジタルＴＶ・ラジオチューナ（０３０７）、または、ネットワークＩ／Ｆ（０３０５）を介してコンテンツを取得し、ＲＡＭ（０３０２）のデータ領域に蓄積する。そして、蓄積したコンテンツを必要に応じて復号化などの処理を行い、マルチ画面表示プログラムに従って、所定の大きさで所定の位置にマルチ画面レイアウトする。その後、マルチ画面レイアウトしてコンテンツをディスプレイ（０３１３）に出力する。また、メールの受信を知らせる情報や電話の受信を知らせる情報をマルチ画面の一つとして表示するよう登録されている場合は、不揮発性メモリ（０３０３）に保存されている「メール受信通知データ」などを取り出し、マルチ画面登録情報を利用してマルチ画面の所定の位置に配置し、ディスプレイ（０３１３）に出力する。
＜実施形態１の処理の流れ＞
【００４７】
本実施形態の処理の流れの一例を図４のフローチャートに示す。
【００４８】
まず、利用者が入力したマルチ画面表示するための信号を取得する（Ｓ０４０１）。
【００４９】
すると、当該信号をトリガにマルチ画面登録情報を取り出す（Ｓ０４０２）。
【００５０】
そして、マルチ画面登録情報を利用して、取得する複数のコンテンツを認識する（Ｓ０４０３）。
【００５１】
その後、複数の外部メディアから複数のコンテンツを取得する（Ｓ０４０４）。
【００５２】
そして、マルチ画面登録情報を利用して、取得した複数のコンテンツを所定の大きさで所定の位置にマルチ画面レイアウトする（Ｓ０４０５）。
【００５３】
その後、マルチ画面レイアウトした複数のコンテンツをディスプレイに出力する（Ｓ０４０６）。
＜実施形態１の効果＞
【００５４】
本実施形態の携帯端末装置により、一つの画面上で複数の外部メディアから取得した複数のコンテンツをマルチ画面表示することが可能になる。その結果、利用者は異なったメディアから取得される様々なコンテンツの内容を同時に把握することが可能となる。
＜＜実施形態２＞＞
＜実施形態２の概要＞
【００５５】
本実施形態の携帯端末装置は、実施形態１の携帯端末装置を基本とし、さらに、複数の子画面それぞれに、個別な処理または設定を行うことが可能である。これにより、選択した一つの子画面のみを全画面表示したり、表示するコンテンツを個別に変更したりすることが可能になる。
＜実施形態２の機能的構成＞
【００５６】
図５に本実施形態における携帯端末装置の機能ブロック図の一例を示す。図５に示すように、本実施形態の「携帯端末装置」（０５００）は、複数の「コンテンツ取得部」（０５０１）と、「マルチ画面レイアウト部」（０５０２）と、「表示部」（０５０３）と、「子画面選択部」（０５０４）を有する。なお、「子画面選択部」（０５０４）は、「ポインタ位置取得手段」と「ポインタ型選択手段」を有してもよい。
【００５７】
「コンテンツ取得部」（０５０１）と、「マルチ画面レイアウト部」（０５０２）と、「表示部」（０５０３）の機能的構成については、実施形態１と同様であるので、ここでの詳細な説明は省略する。以下、「子画面選択部」（０５０４）、「ポインタ位置取得手段」、「ポインタ型選択手段」の機能について説明する。
【００５８】
「子画面選択部」（０５０４）は、所定の処理を子画面に関して実行するために子画面の選択入力を受付けるよう構成されている。「子画面の選択入力」とは、ディスプレイにマルチ画面表示された複数の子画面の中から、一つの子画面を選択するための入力である。当該入力の方法としては特段制限されず、例えば、タッチパネル方式を利用し、利用者はディスプレイに表示された複数の子画面の中から一つの子画面をタッチすることで、選択入力できてもよい。または、図６に示すように、ディスプレイに規則正しく配列された複数の子画面（０６０１）と、携帯端末装置に規則正しく配列された複数の操作キー（０６０２）を、それらの配列に従って関連付け、例えば、左上に配列された数字の１が記載された操作キー（０６０３）を押下すると、ディスプレイの左上に配列された子画面（０６０４）を選択する入力ができ、右上に配列された数字の３が記載された操作キー（０６０５）を押下すると、ディスプレイの右上に配列された子画面（０６０６）を選択する入力ができてもよい。
【００５９】
選択した子画面に実行する「所定の処理」とは、例えば、「選択した子画面に表示しているコンテンツを全画面表示する処理」、「表示するコンテンツを変更する処理」、「表示するコンテンツの表示方法を変更する処理」、「コンテンツを更新する処理」、「コンテンツの更新手段を変更する処理」などが考えられる。「選択した子画面に表示しているコンテンツを全画面表示する処理」とは、選択された子画面で表示していたコンテンツのみを、ディスプレイいっぱいの大きさに表示する処理をいう。「表示するコンテンツを変更する処理」とは、選択された子画面で表示するコンテンツを変更する処理をいう。具体的には、表示するコンテンツをデジタルＴＶの７ＣＨの放送からデジタルラジオの７７．７Ｈｚの放送に変更する処理などである。なお、「表示するコンテンツの表示方法を変更する処理」、「コンテンツを更新する処理」、「コンテンツの更新方法を変更する処理」の処理内容については、後述するので、ここでの詳細な説明は省略する。
【００６０】
選択入力した子画面に、これらの処理内容を実行させる手段としては、例えば、図８に示すように、一つの子画面を選択入力（例：タッチパネル方式など）すると選択された子画面が太枠で囲まれるなど識別可能に表示され、メニュー画面が表示される。そして、表示されたメニューの中から希望する処理内容を選択し、決定キーを押下すると選択された処理（例：全画面表示）が実行されてもよい。または、図９に示すように、操作キーに設けられたメニューキー（０９０１）を押下すると、画面上の右下端に表示された実行される処理内容を特定するための記載（０９０２）がトグル式に変更される。そして、希望する処理内容を特定するための記載が表示された状態で、一つの子画面を選択入力（例：タッチパネル方式など）すると、所定の処理が実行されてもよい。この時、実行される処理内容として、「表示するコンテンツを変更する処理」が選択されていた場合、子画面を選択入力（例：タッチパネル方式など）するごとに、表示されるコンテンツの内容が変化（放送チャンネルが順次切り替わるなど）してもよい。
【００６１】
また、「子画面選択部」（０５０４）は、ポインタの位置を取得するポインタ位置取得手段とポインタが位置する子画面を所定の処理を実行する子画面として選択するポインタ型選択手段を有するよう構成されていてもよい。ここで、「ポインタ」とは、図７に示すように、子画面の外枠を囲むことが可能なカーソル（０７０１）のほか、矢印アイコンや十字アイコンなどが該当する。また、「ポインタが位置する子画面」とは、ポインタがカーソルの場合は、カーソルにより囲まれている子画面、ポインタが矢印アイコンや十字アイコンの場合は、矢印アイコンの先端部分や十字アイコンの二本の線のクロス部分が位置する子画面をいう。ここで、ポインタが位置する子画面を特定し、所定の処理を実行する子画面として選択する手段としては、以下のような手段が考えられる。例えば、「ポインタ位置取得手段」は、ディスプレイ上でのポインタの表示位置を制御しているポインタ操作プログラムが利用しているポインタ位置情報を利用可能に構成しておき、当該情報を利用することで、ディスプレイ上でのポインタの位置を認識する。そして、「ポインタ型選択手段」は、ポインタ位置取得手段よりポインタ位置を取得すると、マルチ画面表示プログラムによりＶＲＡＭ上などで展開されているマルチ画面レイアウトと照合し、ポインタが位置する子画面を特定する。そして、特定した子画面のＩＤを所定の処理を実行する子画面ＩＤとして保存する。
＜実施形態２のハードウェア構成＞
【００６２】
図１０Ａは、上記機能的構成をハードウェアとして実現した際の構成の一例を表す図である。以下に、図１０Ａのハードウェアを用いて、本実施形態を実現する手段の一例を説明する。
【００６３】
まず、利用者が十字キーにより、ディスプレイに表示されたポインタを移動するよう入力すると、携帯端末装置はユーザＩ／Ｆ（１０Ａ０４）を介して前記入力信号を取得し、ＲＡＭ（１０Ａ０２）のデータ領域に保存する。そして、ＲＡＭ（１０Ａ０２）上に展開されたポインタ操作プログラムに従って、演算処理し、現在のポインタ位置情報を書き換える。そして、書き換えたポインタ位置情報を利用して、ディスプレイ（１０Ａ１３）にポインタを出力する。
【００６４】
その後、ポインタが位置する子画面を所定の処理をするための子画面として選択する入力をユーザＩ／Ｆ（１０Ａ０４）を介して取得すると、前記入力をトリガに子画面処理プログラムに従って、ポインタ位置情報を取得する。そして、ポインタ位置情報と、マルチ画面表示プログラムに従いレイアウトされたマルチ画面レイアウトを照合し、ポインタが位置する子画面を特定し、その子画面のＩＤを選択された子画面のＩＤ（選択子画面ＩＤ）として記憶する。
【００６５】
また、不揮発性メモリ（１０Ａ０３）より、ディスプレイ（１０Ａ１３）に表示するメニュー画面データを取り出し、ディスプレイ（１０Ａ１３）にメニュー画面を出力する。そして、所定の処理を実行する入力信号をユーザＩ／Ｆ（１０Ａ０４）を介して取得すると、実行する処理を識別し、所定の実行プログラム（例：全画面表示プログラム）に従って処理を実行する。
＜実施形態２の処理の流れ＞
【００６６】
本実施形態の処理の流れの一例を図１０Ｂのフローチャートに示す。
【００６７】
まず、ポインタが位置している子画面を所定の処理を行う子画面として選択する入力を受付ける（Ｓ１０Ｂ０１）。
【００６８】
すると、ディスプレイ上でのポインタの位置を認識する（Ｓ１０Ｂ０２）。
【００６９】
そして、ポインタが位置する子画面を特定し、所定の処理を行う子画面として認識する（Ｓ１０Ｂ０３）。
【００７０】
＜実施形態２の効果＞
【００７１】
本実施形態の携帯端末装置により、利用者は、マルチ画面表示された複数の子画面を個別に選択し、個別にコンテンツを変更するなどの処理を行うことが可能となる。その結果、利用者は、複数の子画面に希望するコンテンツのみを表示することが可能になるほか、希望するコンテンツを全画面表示して楽しむなど、様々な手段でコンテンツを楽しむことが可能になる。
＜＜実施形態３＞＞
＜実施形態３の概要＞
【００７２】
本実施形態の携帯端末装置は、実施形態１または実施形態２の携帯端末装置を基本とし、さらに、外部メディアから取得したコンテンツが提供している内容（例：ＴＶ放送、ホームページの本文）をそのまま子画面に表示するのでなく、そのコンテンツの簡易情報（例：番組名、ホームページの名称など）を子画面に表示することができることを特徴とする。
＜実施形態３の機能的構成＞
【００７３】
図１２に、本実施形態における携帯端末装置の機能ブロック図の一例を示す。図１２に示すように本実施形態の「携帯端末装置」（１２００）は、複数の「コンテンツ取得部」（１２０１）と、「マルチ画面レイアウト部」（１２０２）と、「表示部」（１２０３）を有する。そして、「コンテンツ取得部」（１２０１）は、「タイトル情報取得手段」と「非タイトル情報取得手段」を有する。
【００７４】
「マルチ画面レイアウト部」（１２０２）と、「表示部」（１２０３）の機能的構成については、実施形態１などと同様であるので、ここでの詳細な説明は省略する。以下、「コンテンツ取得部」（１２０１）の「タイトル情報取得手段」と「非タイトル情報取得手段」の機能について説明する。
【００７５】
「タイトル情報取得手段」は、子画面にレイアウトされるコンテンツとして外部メディアからタイトル情報のみを取得可能に構成されている。「外部メディアからタイトル情報のみを取得」とは、通信手段により外部メディアからタイトル情報のみを取得するという意味ではなく、通信手段により外部メディアから取得したコンテンツの中からタイトル情報だけを取得するという意味である。タイトル情報取得手段で取得したタイトル情報は、マルチ画面レイアウト部（１２０２）でマルチ画面の所定の位置にレイアウトされ、表示部（１２０３）で、ディスプレイに表示される。
【００７６】
ここで、「タイトル情報」とは、文字や図形などからなり、子画面に設定されている内容を把握することが可能な簡易情報である。具体的には、子画面にデジタルＴＶの番組が設定されていた時、タイトル情報としては、図１１の右上の子画面（１１０１）に示すように、番組名、ＣＨ、放送局名、放送時間、その番組の出演者、などが該当する。また、デジタルラジオの番組が設定されていた時、タイトル情報としては、上から１番目、右から２番目の子画面（１１０２）に示すように、放送局名、番組名、放送時間、ＤＪ、などが該当する。タイトル情報取得手段は、このようなタイトル情報を放送される番組情報であるＥＰＧなどから取得することができる。
【００７７】
また、子画面に設定されている内容が、ある企業のホームページだった場合、タイトル情報としては、左から２番目、上から２番目の子画面（１１０５）に示すように、そのホームページの名称などが該当する。かかる場合、コンテンツ取得手段は、取得したコンテンツの例えばＨＴＭＬで記述されたデータの中から「Ｔｉｔｌｅ」のようなタグで特定される文字列をタイトル情報として取得することができる。
【００７８】
「非タイトル情報取得手段」は、子画面にレイアウトされるコンテンツとして外部メディアからタイトル情報以外の情報をも取得可能に構成されている。非タイトル情報取得手段で取得したタイトル情報以外の情報は、マルチ画面レイアウト部（１２０２）でマルチ画面の所定の位置にレイアウトされ、表示部（１２０３）で、ディスプレイに表示される。
【００７９】
「タイトル情報以外の情報」とは、デジタルＴＶやデジタルラジオの本放送、Ｗｅｂ上で公開されている本文などである。なお、非タイトル情報取得手段は、タイトル情報以外の情報をも取得可能である。すなわち、タイトル情報をも取得可能に構成している。これにより、タイトル情報が非タイトル情報の中に含まれているような場合でも、非タイトル情報取得手段は、タイトル情報も含めてコンテンツを取得することが可能である。
【００８０】
なお、コンテンツ取得部（１２０１）が、「タイトル情報取得手段」、「非タイトル情報取得手段」のいずれの手段によりコンテンツを取得するか決定するメカニズムとしては、以下のような手段が考えられる。例えば、利用者が子画面ごとに、「タイトル情報」、「タイトル情報以外の情報」のいずれを表示するか選択し入力する。すると、携帯端末装置は、前記選択をマルチ画面登録情報として登録しておく。そして、コンテンツ取得部（１２０１）は、マルチ画面登録情報に従い、子画面ごとにいずれの手段によりコンテンツを取得するか決定する。または、コンテンツ取得部（１２０１）は、子画面が大きい場合は非タイトル情報取得手段によりコンテンツを取得し、子画面が小さい場合はタイトル情報取得手段によりコンテンツを取得するよう決定してもよい。具体的には、コンテンツ取得部（１２０１）は、前記判断をするための基準値を保持しておき、マルチ画面登録情報として登録されている子画面の大きさを基準値と大小比較する。そして、子画面の大きさが基準値より大きい場合は、「非タイトル情報取得手段」によりコンテンツを取得するよう決定し、基準値より小さい場合は、「タイトル情報取得手段」によりコンテンツを取得するよう決定する。
＜実施形態３のハードウェア構成＞
【００８１】
図１３Ａは、上記機能的構成をハードウェアとして実現した際の構成の一例を表す図である。以下に、図１３Ａのハードウェアを用いて、本実施形態を実現する手段の一例を説明する。
【００８２】
まず、利用者が一つの子画面を選択入力し、「タイトル情報で表示」するよう入力すると、ユーザＩ／Ｆ（１３Ａ０４）を介して入力信号を取得し、ＲＡＭ（１３Ａ０２）のデータ領域に保存する。そして、タイトル情報取得プログラムに従い、ネットワークＩ／Ｆ（１３Ａ０５）、または、デジタルＴＶ・ラジオチューナ（１３Ａ０７）からコンテンツを取得して内部メモリに蓄積する。そして、コンテンツの中に含まれるタイトル情報を識別し、当該情報を取り出して保存する。その後、マルチ画面表示プログラムに従い、タイトル情報を所定の位置にマルチ画面レイアウトして、ディスプレイ（１３Ａ１３）に出力する。
【００８３】
また、利用者が一つの子画面を選択入力し、「タイトル情報以外の情報で表示」するよう入力すると、ユーザＩ／Ｆ（１３Ａ０４）を介して入力信号を取得し、ＲＡＭ（１３Ａ０２）のデータ領域に保存する。そして、非タイトル情報取得プログラムに従い、ネットワークＩ／Ｆ（１３Ａ０５）、または、デジタルＴＶ・ラジオチューナ（１３Ａ０７）からコンテンツを取得し、内部メモリに蓄積する。その後、マルチ画面表示プログラムに従い、所定の処理を行ったコンテンツを所定の位置にマルチ画面レイアウトして、ディスプレイ（１３Ａ１３）に出力する。
＜実施形態３の処理の流れ＞
【００８４】
本実施形態の処理の流れの一例を図１３Ｂのフローチャートに示す。
【００８５】
まず、利用者が入力した「コンテンツの表示方法」を受付ける（Ｓ１３Ｂ０１）。
【００８６】
前記入力が「タイトル情報で表示」だった場合（Ｓ１３Ｂ０２）、子画面にレイアウトされるコンテンツとして外部メディアからタイトル情報のみを取得する（Ｓ１３Ｂ０３：コンテンツ取得ステップ−タイトル情報取得サブステップ）。
【００８７】
一方、前記受付けた入力が「タイトル情報以外の情報で表示」だった場合（Ｓ１３Ｂ０２）、携帯端末装置は、子画面にレイアウトされるコンテンツとして外部メディアからタイトル情報以外の情報も取得する（Ｓ１３Ｂ０４：コンテンツ取得ステップ−非タイトル情報取得サブステップ）。
【００８８】
そして、コンテンツ取得ステップにて取得したコンテンツを所定の位置にマルチ画面レイアウトする（Ｓ１３Ｂ０５：マルチ画面レイアウトステップ）。
【００８９】
最後に、マルチ画面レイアウトステップでレイアウトされたマルチ画面をディスプレイに表示する（Ｓ１３Ｂ０６：表示ステップ）。
＜実施形態３の効果＞
【００９０】
本実施形態の携帯端末装置は、マルチ画面表示するコンテンツとして番組名などの簡易情報を出力することが可能である。その結果、動画像を出力する際などに要するデコーダ処理などが不要になり、処理面の負担を軽減できる。また、マルチ画面表示するための起動しておくアプリの数を減らすことができ、消費電力を軽減することが可能となる。
＜＜実施形態４＞＞
＜実施形態４の概要＞
【００９１】
本実施形態の携帯端末装置は、実施形態１から３のいずれか一を基本とし、さらに、マルチ画面表示されたコンテンツを間欠的に更新することができることを特徴とする。その結果、更新する間のみコンテンツを取得するアプリを起動し、その他の間はアプリを停止しておくことで、消費電力を軽減することが可能となる。
＜実施形態４の機能的構成＞
【００９２】
図１４に本実施形態における携帯端末装置の機能ブロック図の一例を示す。図１４に示すように本実施形態の「携帯端末装置」（１４００）は、複数の「コンテンツ取得部」（１４０１）と、「マルチ画面レイアウト部」（１４０２）と、「表示部」（１４０３）を有する。そして、「コンテンツ取得部」（１４０１）は、「更新命令取得手段」と「間欠取得手段」を有する。
【００９３】
「マルチ画面レイアウト部」（１４０２）と、「表示部」（１４０３）の機能的構成については、実施形態１などと同様であるので、ここでの詳細な説明は省略する。以下、「コンテンツ取得部」（１４０１）の「更新命令取得手段」と「間欠取得手段」の機能について説明する。
【００９４】
「コンテンツ取得部」（１４０１）の「更新命令取得手段」は、更新命令を取得するよう構成されている。「更新命令」とは、子画面に表示されているコンテンツを更新する方法を特定し、かつ、特定した方法により更新するよう指示する命令である。コンテンツを更新する方法は、「常時自動更新する方法」と、「間欠的に更新する方法」が考えられる。また、「間欠的に更新する方法」としては、「一定時間ごとに自動更新する方法」や、「利用者が入力した更新指示信号をトリガに更新する方法」、「乱数を使用して不定期に自動更新する方法」、「表示するコンテンツの内容が変更するごとに自動更新する方法」、「画面の大きさを変更するなどの操作をするたびに自動更新する方法」、などが考えられる。また、子画面に表示しているコンテンツが本放送とデータ放送の組み合わせや、データ放送のみの場合は、「データ放送の表示内容の変更タイミングに合わせてコンテンツを自動更新する方法」なども考えられる。なお、「利用者が入力した更新指示信号をトリガに更新する方法」の場合は、当然、利用者が更新指示を入力するまで更新されないこととなる。ここで、複数のコンテンツ取得部（１４０１）のそれぞれの更新命令取得手段は、すべてが同じ更新命令を取得するよう構成されてもよいし、それぞれが別々の更新命令を取得するよう構成されてもよい。それぞれが別々の更新命令を取得するよう構成する場合は、それぞれの更新方法が異なってもよい。更新命令取得手段が更新命令を取得する方法としては、例えば、利用者が子画面ごとにいずれの方法で更新するか選択入力すると、携帯端末装置は前記選択内容をマルチ画面登録情報として不揮発性メモリなどに記憶するよう構成しておく。そして、更新命令取得手段は、マルチ画面表示を開始する際や、または、更新方法の内容が変更された際などに、マルチ画面登録情報に登録されている更新方法を更新命令として取得するよう構成されている。なお、利用者は、一定時間ごとに自動更新する方法を選択入力する際は、更新する間隔を定める一定時間をも任意に入力でき、当該情報もマルチ画面登録情報に記憶されてもよい。
【００９５】
「コンテンツ取得部」（１４０１）の「間欠取得手段」は、更新命令取得手段で取得した更新命令に従って間欠的にコンテンツを取得するよう構成されている。「間欠的にコンテンツを取得する」とは、定められた時間おきにコンテンツを取得したり（例：１５秒おきにコンテンツを取得）、不定の時間おきにコンテンツを取得したり（例：「利用者が任意に入力した更新指示信号を取得するごとにコンテンツを取得」、「乱数により決定した時間おきにコンテンツを取得」）することを意味する。具体的には、間欠取得手段は更新命令で定められる更新方法が、「一定時間（例：１分）おきに自動更新する方法」だった場合、携帯端末装置の内部時計などを利用して一定時間（例：１分）をカウントする。そして、カウントし終えるごとに外部メディアからコンテンツを取得する。また、更新命令で定められる更新方法が、「利用者が入力した更新指示信号をトリガに更新する方法」だった場合、間欠取得手段は、利用者が操作キーなどを利用して入力した更新指示信号を取得可能に構成しておく。そして、更新指示信号を取得すると、それをトリガに最新のコンテンツを外部メディアから取得する。なお、利用者が操作キーなどにより更新指示信号を入力する方法としては特段制限されず、例えば、ディスプレイに表示されているポインタを、更新を希望する子画面に位置するよう移動させてメニュー画面を呼び出し、所定の処理として「コンテンツを更新する処理」を選択して決定キーを押下することで、更新指示信号を入力できてもよい。または、更新を希望する子画面にポインタを位置させることのみで、更新指示信号を入力できてもよい。なお、利用者が一つの子画面に対して更新指示を入力し、更新が終了する前に他の子画面に対して他の指示（更新指示など）を入力しても、そのまま更新を継続するよう構成されてもよいし、更新を終了するよう構成されてもよい。かかる場合、更新が継続中であることを利用者が視覚的に確認できるように、更新中の子画面の表示を通常の場合と異ならせるように表示してもよい。例えば、子画面の周辺の枠を点滅させたり、色を異ならせたり、画面に「更新中」のような文字を表示してもよい。さらに、更新命令で定められる更新方法が、「乱数により決定した時間おきに自動更新する方法」だった場合、間欠取得手段は、乱数により決定した時間を携帯端末装置の内部時計などを利用してカウントする。そして、カウントし終えるとそれをトリガに外部メディアからコンテンツを取得する。そして、その後、再び乱数により時間を決定し、カウントを開始することとなる。また、更新命令で定められる更新方法が、「データ放送の表示内容の変更タイミングに合わせてコンテンツを自動更新する方法」だった場合、間欠取得手段は、子画面に表示しているデータ放送の番組進行表を放送局のサーバなどから取得し、その情報で特定されるタイミングに従って、コンテンツを自動的に取得するよう構成されてもよい。
【００９６】
ここで、間欠取得手段により外部メディアから間欠的に取得された最新コンテンツは、更新されるごとにマルチ画面レイアウト部（１４０２）で所定位置に配置され、表示部（１４０３）でディスプレイに表示されることとなる。この時、表示部（１４０３）は、間欠取得手段により取得した最新コンテンツが、それまで表示していたコンテンツから内容の変更がある場合、図１５の右上子画面（１５０１）に表示したマーク（１５０２）などで、内容に変更があった旨を利用者に伝えるよう構成されていてもよい。または、音声情報やバイブレーションなどを出力し、更新があった旨を報知するよう構成されてもよい。さらには、それらを組み合わせてもよい。表示内容の変更を識別する手段としては、コンテンツのＢＭＬデータやＨＴＭＬデータの記載が変更されていないか確認することで識別してもよいし、画像認識技術などにより変更を識別してもよい。
＜実施形態４のハードウェア構成＞
【００９７】
図１６Ａは、上記機能的構成をハードウェアとして実現した際の構成の一例を表す図である。以下に、図１６Ａのハードウェアを用いて、本実施形態を実現する手段の一例を説明する。
【００９８】
まず、利用者が操作キーなどを用いて、ある子画面の更新方法を選択入力すると、携帯端末装置は、ユーザＩ／Ｆ（１６Ａ０４）を介して前記入力信号を取得し、ＲＡＭ（１６Ａ０２）のデータ領域に保存する。そして、当該信号で特定される更新方法を識別し、そのＩＤ（更新手段ＩＤ）をマルチ画面登録情報として保存する。
【００９９】
更新手段ＩＤが、「一定時間ごとに自動更新」だった場合、間欠取得プログラムに従い、当該更新手段ＩＤと関連付けて保持されている一定時間情報を取得する。そして、時計部（図示せず）で一定時間のカウントを開始する。時計部でのカウントが終了すると、それをトリガに、ネットワークＩ／Ｆ（１６Ａ０５）、または、デジタルＴＶ・ラジオチューナ（１６Ａ０７）を介して最新のコンテンツを外部メディアから取得し内部メモリに蓄積する。
【０１００】
そして、マルチ画面表示プログラムに従い、取得した最新のコンテンツを所定の位置にマルチ画面レイアウトして、ディスプレイ（１６Ａ１３）に出力する。
【０１０１】
更新命令が、「利用者が入力した更新指示信号をトリガに更新」だった場合、ユーザＩ／Ｆ（１６Ａ０４）を介して、利用者が入力した更新指示信号を取得すると、それをトリガに、間欠取得プログラムに従って、ネットワークＩ／Ｆ（１６Ａ０５）、または、デジタルＴＶ・ラジオチューナ（１６Ａ０７）を介して最新のコンテンツを外部メディアから取得して内部メモリに蓄積する。
【０１０２】
そして、マルチ画面表示プログラムに従い、取得した最新のコンテンツを所定の位置にマルチ画面レイアウトして、ディスプレイ（１６Ａ１３）に出力する。
【０１０３】
なお、その他の更新方法が選択された場合にも、上記手段に準じて、最新のコンテンツを取得し、ディスプレイ（１６Ａ１３）に出力される。
＜実施形態４の処理の流れ＞
【０１０４】
本実施形態の処理の流れの一例を図１６Ｂのフローチャートに示す。
【０１０５】
まず、利用者が表示するコンテンツの変更を入力すると同時に、その子画面での更新方法を選択入力する。
【０１０６】
すると、携帯端末装置は、前記入力信号を取得し（Ｓ１６Ｂ０１）、マルチ画面登録情報として保存する（Ｓ１６Ｂ０２）。そして、保存した更新方法からなる更新命令を取得する（Ｓ１６Ｂ０３）。
【０１０７】
その後、入力されたコンテンツを取得するアプリを起動し（Ｓ１６Ｂ０４）、外部メディアからコンテンツを取得する（Ｓ１６Ｂ０５）。そして、取得したコンテンツをマルチ画面レイアウトし、ディスプレイに出力する。
【０１０８】
その後の処理は、取得した更新命令により場合分けして説明する。
【０１０９】
更新命令が「一定時間ごとに自動更新」だった場合（Ｓ１６Ｂ０７）、コンテンツを取得するアプリを停止し（Ｓ１６Ｂ０８）、一定時間をカウントする（Ｓ１６Ｂ０９）。そして、一定時間のカウントを終了すると（Ｓ１６Ｂ１０）、再びコンテンツを取得するアプリを起動し（Ｓ１６Ｂ１１）、外部メディアからコンテンツを取得する（Ｓ１６Ｂ１２）。そして、取得したコンテンツをマルチ画面レイアウトし（Ｓ１６Ｂ１３）、ディスプレイに出力する。また、コンテンツを取得するアプリを停止する（Ｓ１６Ｂ１４）。
【０１１０】
更新命令が「利用者が入力した更新指示信号をトリガに更新」だった場合（Ｓ１６Ｂ１５）、コンテンツを取得するアプリを停止する（Ｓ１６Ｂ１６）。その後、更新指示信号を取得するまで待機する（Ｓ１６Ｂ１７）。そして、利用者が入力した更新指示信号を取得すると（Ｓ１６Ｂ１８）、それをトリガにコンテンツを取得するアプリを再び起動する（Ｓ１６Ｂ１１）。そして、外部メディアからコンテンツを取得し（Ｓ１６Ｂ１２）、取得したコンテンツをマルチ画面レイアウトして（Ｓ１６Ｂ１３）、ディスプレイに出力する。また、コンテンツを取得するアプリを停止する（Ｓ１６Ｂ１４）。
【０１１１】
更新命令が「常時自動更新」だった場合（Ｓ１６Ｂ１５）は、その後も常時外部メディアからコンテンツを取得する（Ｓ１６Ｂ１９）。そして、取得したコンテンツをマルチ画面レイアウトして（Ｓ１６Ｂ２０）、ディスプレイに出力する。
＜実施形態４の効果＞
【０１１２】
本実施形態の携帯端末装置は、表示するコンテンツを間欠的に更新することが可能である。そして、間欠的に更新する場合、コンテンツを取得する間のみコンテンツ取得アプリを起動し、その他の間はコンテンツ取得アプリを停止しておくことで、マルチ画面表示するための消費電力を軽減することができる。
【０１１３】
間欠的に更新するのに適しているコンテンツとしては、例えば、デジタル放送のコンテンツやＷＥＢ上のホームページコンテンツ、また、実施形態３で説明したタイトル情報、などのように常時最新情報を配信していないコンテンツなどが考えられる。
【０１１４】
また、デジタルＴＶやデジタルラジオなどのように常時最新情報を配信しているコンテンツも、間欠的に更新するよう設定することで、番組内の進行具合を把握することが可能となるなどの効果がある。
＜＜実施形態５＞＞
＜実施形態５の概要＞
【０１１５】
本実施形態の携帯端末装置は、実施形態１から４のいずれか一を基本とし、さらに、図１７に示すように、子画面で表示されているコンテンツの属性情報を、複数の子画面（１７０１）とともにマルチ画面レイアウトし、ディスプレイに表示する（１７０２）ことを特徴とする。
＜実施形態５の機能的構成＞
【０１１６】
図１８に、本実施形態における携帯端末装置の機能ブロック図の一例を示す。図１８に示すように本実施形態の「携帯端末装置」（１８００）は、複数の「コンテンツ取得部」（１８０１）と、「マルチ画面レイアウト部」（１８０２）と、「表示部」（１８０３）を有する。そして、「表示部」（１８０３）は、「コンテンツ属性情報表示手段」を有する。
【０１１７】
「コンテンツ取得部」（１８０１）と、「マルチ画面レイアウト部」（１８０２）の機能的構成については、実施形態１などと同様であるので、ここでの詳細な説明は省略する。以下、「表示部」（１８０３）の「コンテンツ属性情報表示手段」の機能について説明する。
【０１１８】
「コンテンツ属性情報表示手段」は、子画面に表示するコンテンツの属性情報を表示するよう構成されている。「属性情報」とは、表示しているコンテンツに関する情報であり、例えば、「コンテンツを配信しているメディア（例：デジタルＴＶ、デジタルラジオ、Ｗｅｂなど）」、「メディアにおける属性（例：ＣＨ、周波数、ＵＲＬなど）」、「更新手段」、「表示手段」などである。図１７に、コンテンツ属性情報をディスプレイに表示した様子を示す。当該図は、ディスプレイを上下に２分し、上側に「複数の子画面」（１７０１）を表示し、下側に「コンテンツ属性情報」（１７０２）をマルチ画面レイアウトしたものである。なお、これらの配置方法は特段制限されず、ディスプレイを左右に２分し、左側に「複数の子画面」を表示し、右側に「コンテンツ属性情報」を表示してもよい。図１７の携帯端末装置は、ポインタ（１７０７）が位置する子画面の「コンテンツ属性情報」を表示するよう構成されている。
【０１１９】
コンテンツ属性情報表示手段が、コンテンツの属性情報を取得する手段としては、以下のようなものが考えられる。例えば、コンテンツ属性情報表示手段は、マルチ画面登録情報を利用可能に構成しておく。そして、ポインタが位置する子画面のＩＤを識別すると、その子画面ＩＤに表示されているコンテンツの属性情報をマルチ画面登録情報から取得する。なお、ポインタが位置する子画面のＩＤを識別する手段としては、実施形態２で説明した「選択子画面ＩＤ」を取得することで実現可能である。
【０１２０】
ここで、「コンテンツ属性情報」（１７０２）には、マルチ画面登録情報で保持されている属性情報のほか、コンテンツそのものも含まれてよい。かかる場合、図１７に示すように、コンテンツ属性情報を表示する領域（１７０２）には、コンテンツそのものを表示してもよい（１７０５）。携帯端末装置は、ディスプレイの大きさが制限されてしまい、機種によっては１２分割マルチ画面表示（１７０１）すると内容を十分に把握できなくなる可能性がある。そこで、図１７のように表示することで、複数の子画面（１７０１）はあくまでインデックス情報として利用し、コンテンツ属性情報に表示されているコンテンツをメインコンテンツとして視聴するという活用方法が可能となる。
【０１２１】
以下、図１９を用いて、コンテンツ属性情報の表示内容の一例を説明する。なお、図１９は、便宜上、「コンテンツ属性情報表示手段」により表示された部分のみを図示したものである。
【０１２２】
まず、図１９（Ａ）に示すように、「メディア欄」に「デジタルＴＶ」を選択した場合は、「詳細内容欄」には、選択しているコンテンツの「放送チャンネル」が表示される。また、選択している「表示方法」（実施形態３で説明した、利用者が選択可能な「タイトル情報表示」するか否か）を表示してもよい。さらに、選択している「更新方法」（実施形態４で説明した、利用者が選択可能な更新方法）を表示してもよい。
【０１２３】
次に、図１９（Ｂ）に示すように、「メディア欄」に「デジタルラジオ」を選択した場合は、「詳細内容欄」には、選択しているコンテンツの「放送チャンネル」「周波数」などが表示される。また、選択している「表示方法」を表示してもよい。さらに、選択している「更新方法」を表示してもよい。
【０１２４】
次に、図１９（Ｃ）に示すように、「メディア欄」に「Ｗｅｂ」を選択した場合は、「詳細内容欄」には、選択しているコンテンツの「ＵＲＬ」が表示される。また、選択している「表示方法」を表示してもよい。さらに、選択している「更新方法」を表示してもよい。
【０１２５】
次に、図１９（Ｄ）に示すように、「メディア欄」に「メール」を選択した場合は、「詳細内容欄」には、最新の受信メールの「送信相手のメールアドレス」「氏名（名称）」「件名」などが表示されてもよい。かかる場合、「コンテンツ欄」には、最新の受信メールの本文が表示されてもよい。さらに、「詳細内容欄」「コンテンツ欄」に表示される前記内容は、スクロールなどして、他の受信メールのものに変更できてもよい。
【０１２６】
次に、図１９（Ｅ）に示すように、「メディア欄」に「電話」を選択した場合は、「詳細内容欄」には、最新の着信相手の「電話番号」「氏名（名称）」などが表示されてもよい。かかる場合、「コンテンツ欄」には、着信履歴の一覧などを表示してもよい。
【０１２７】
次に、図１９（Ｆ）に示すように、「メディア欄」に「デジタルＴＶ」を選択した場合は、「詳細内容欄」には、選択しているコンテンツの「カテゴリ」（ドラマ、スポーツ、バラエティー、ニュース、天気予報など）が表示されてもよい。かかる場合、コンテンツ取得部（１８０１）は、現在ＴＶ放送されている番組の中から、選択している「カテゴリ」に該当する番組を検索し、コンテンツを取得するよう構成されている。現在放送されている番組がない場合は、その後放送される予定の番組情報を取得するよう構成されていてもよい。前記手段は、例えば、ＥＰＧを利用することで実現できる。具体的には、コンテンツ取得部（１８０１）は、マルチ画面登録情報の中に、カテゴリでコンテンツを特定する前記のような情報が含まれていた場合、ＥＰＧ情報を取得し、現在、そのカテゴリの番組が放送されていないか確認する。そして、該当する番組がある場合、その番組の放送波を取得するよう構成されていてもよい。一方、該当する番組がない場合は、そのあと最も直ぐ放送される番組を特定し、その番組情報（例：「番組名」、「放送時間」、「ＣＨ」など）をＥＰＧから取得するよう構成されてもよい。そして、取得した情報を、所定の子画面の位置にレイアウトし、ディスプレイに表示する。なお、現在放送している番組がなかった場合は、次に放送される番組の放送時間になった際に、音声やバイブレーションで利用者に報知するよう構成されてもよい。
【０１２８】
利用者は、コンテンツ属性情報表示手段により表示される前記内容を見て、各子画面に表示しているコンテンツの属性情報を確認することができるほか、当該インターフェイスよりマルチ画面登録情報の変更を入力することができる。
【０１２９】
インターフェイスの表示を変更する手段としては、例えば、トグルスイッチを利用してもよい。または、カーソルなどでそれぞれの欄を選択し、操作キーなどで数字や文字を直接入力できてもよい。そして、前記手段により入力された内容に応じて、マルチ画面登録情報の内容が書き換えられる。
【０１３０】
＜実施形態５のハードウェア構成＞
【０１３１】
図２０Ａは、上記機能的構成をハードウェアとして実現した際の構成の一例を表す図である。以下に、図２０Ａのハードウェアを用いて、本実施形態を実現する手段の一例を説明する。
【０１３２】
まず、ＲＡＭ（２０Ａ０２）に展開された属性情報取得プログラムに従い、ＲＡＭ（２０Ａ０２）に保存されている選択子画面ＩＤを取得する。（なお、選択子画面ＩＤについては、実施形態２で説明したので、ここでの詳細な説明は省略する。）そして、マルチ画面登録情報を利用し、選択子画面ＩＤで特定される子画面に出力しているコンテンツの属性情報を取得する。その後、マルチ画面表示プログラムに従い、複数の子画面とコンテンツ属性情報をマルチ画面レイアウトし、ディスプレイ（２０Ａ１３）に出力する。
＜実施形態５の処理の流れ＞
【０１３３】
本実施形態の処理の流れの一例を図２０Ｂのフローチャートに示す。
【０１３４】
まず、ポインタが位置する子画面を識別する（Ｓ２０Ｂ０１）。
【０１３５】
次に、ポインタが位置する子画面の属性情報を、マルチ画面登録情報より取得する（Ｓ２０Ｂ０２）。
【０１３６】
そして、属性情報と、複数のコンテンツをマルチ画面レイアウトする（Ｓ２０Ｂ０３）。
【０１３７】
その後、マルチ画面レイアウトしたコンテンツと属性情報をディスプレイに出力する（Ｓ２０Ｂ０４）。
＜実施形態５の効果＞
【０１３８】
本実施形態の携帯端末装置は、各子画面に表示しているコンテンツの属性情報をディスプレイに表示することができる。また、属性情報を表示している画面を、コンテンツを変更するためのインターフェイスとして活用することができる。
【０１３９】
これにより、利用者は、マルチ画面表示している複数のコンテンツのそれぞれの属性情報を容易に把握することができるほか、容易に表示するコンテンツを変更することが可能となる。
＜＜実施形態６＞＞
＜実施形態６の概要＞
【０１４０】
本実施形態の携帯端末装置は、実施形態１から５などを基本とし、さらに、ディスプレイ上での複数のコンテンツを表示する領域と、コンテンツ属性情報を表示する領域の配分を変更することができる。そして、それらの配分に応じて、マルチ画面レイアウトする子画面の大きさを自動で調整することができる。また、調整された子画面の大きさに応じて、取得したコンテンツをタイトル情報で表示するか否かを自動で判断して変更することができる。
＜実施形態６の機能的構成＞
【０１４１】
図２１に、本実施形態における携帯端末装置の機能ブロック図の一例を示す。図２１に示すように本実施形態の「携帯端末装置」（２１００）は、複数の「コンテンツ取得部」（２１０１）と、「マルチ画面レイアウト部」（２１０２）と、「表示部」（２１０３）と、「配分管理部」（２１０５）を有する。そして、「マルチ画面レイアウト部」（２１０２）は「調整手段」を有する。また、「コンテンツ取得部」（２１０１）は「機能選択手段」を有してもよい。
【０１４２】
「表示部」（２１０３）の機能的構成については、実施形態１などと同様であるので、ここでの詳細な説明は省略する。以下、「配分管理部」（２１０５）と、「マルチ画面レイアウト部」（２１０２）の「調整手段」と、「コンテンツ取得部」（２１０１）の「機能選択手段」の機能について説明する。
【０１４３】
「配分管理部」（２１０５）は、表示画面中における、コンテンツ属性情報表示手段によって表示されるコンテンツ属性情報表示領域と、マルチ画面レイアウト部によって構成される子画面表示領域とのディスプレイ中における配分を管理するよう構成されている。図１７に、コンテンツ属性情報表示領域と子画面表示領域からなる表示画面を示す。当該図は、ディスプレイを上下に２分し、上側に「子画面表示領域」（１７０１）を、下側に「コンテンツ属性情報表示領域」（１７０２）を配置したものである。ここで、「配分を管理」するとは、ディスプレイに表示する配分を保持し、変更指示を受け付けて配分を変更などする処理をいう。配分を変更する指示は、例えば、利用者が入力することができる。入力する手段としては、タッチパネル方式により、「子画面表示領域」と「コンテンツ属性情報表示領域」の境界に存する境界線（１７０６）を上下に移動させることで配分を変更する指示を入力できてもよい。または、「子画面表示領域」と「コンテンツ属性情報表示領域」の配分を変更するメニュー画面を呼び出し、希望する配分比率を数字で入力できてもよい。
【０１４４】
「マルチ画面レイアウト部」（２１０２）の「調整手段」は、配分管理部（２１０５）にて定められた配分に応じて子画面の大きさを調整するよう構成されている。具体的には、調整手段は、配分管理部（２１０５）で管理されている配分を取得すると、子画面をレイアウトするための「子画面表示領域」の大きさを演算処理により求める。また、マルチ画面登録情報より、マルチ画面レイアウトする子画面の数を識別する。そして、子画面表示領域の大きさと子画面の数より、レイアウトする子画面の一つあたりの大きさを求める。そして、求めた大きさでコンテンツをマルチ画面レイアウトするよう構成されている。
【０１４５】
「コンテンツ取得部」（２１０１）の「機能選択手段」は、前記調整手段にて調整された子画面の大きさに応じて、「タイトル情報取得手段」を機能させるか、「非タイトル情報取得手段」を機能させるか選択するよう構成されている。「タイトル情報取得手段」とは、表示するコンテンツのタイトル情報のみを取得するよう構成されたものであり、「非タイトル情報取得手段」とは、表示するコンテンツのタイトル情報以外の情報も取得するよう構成されたものである。
【０１４６】
「タイトル情報取得手段」により取得されるタイトル情報とは、コンテンツの「番組名」「放送チャンネル」「ホームページの名称」などの簡易な情報であり、情報量は比較的少ない。一方、「非タイトル情報取得手段」により取得されるタイトル情報以外の情報とは、コンテンツが提供している内容そのものであり、タイトル情報に比べると情報量は断然多い。かかる場合、表示される文字が極めて小さくなるなどの不都合が生じ、表示内容を十分に把握できなくなる可能性がある。すなわち、「タイトル情報取得手段」により取得されるタイトル情報は、小さい子画面に表示するのに適しているが、「非タイトル情報取得手段」により取得されるタイトル情報以外の情報は、小さい子画面に表示するのに比較的適さない。
【０１４７】
機能選択手段は、かかる点を考慮し、マルチ画面レイアウト部（２１０２）の調整手段にて調整された子画面の大きさに基づいて、「タイトル情報取得手段」、または、「非タイトル情報取得手段」のいずれを機能させるか決定するよう構成されている。具体的には、機能選択手段は、「タイトル情報取得手段」、「非タイトル情報取得手段」のいずれを機能させるか定める基準（子画面の大きさ「例：８０ピクセル×６０ピクセル」）を保持しておく。そして、調整手段よりマルチ画面レイアウトする子画面の大きさを取得すると基準と比較する。マルチ画面レイアウトする子画面の大きさが基準より小さい場合、機能選択手段はタイトル情報取得手段を機能させる。一方、マルチ画面レイアウトする子画面の大きさが基準より大きい場合は、非タイトル情報取得手段を機能させる。
【０１４８】
＜実施形態６のハードウェア構成＞
【０１４９】
図２２Ａは、上記機能的構成をハードウェアとして実現した際の構成の一例を表す図である。以下に、図２２Ａのハードウェアを用いて、本実施形態を実現する手段の一例を説明する。
【０１５０】
まず、利用者が操作キーなどを用いて、ディスプレイ（２２Ａ１３）に表示する「子画面表示領域」と「コンテンツ属性情報表示領域」の希望する配分を入力する。
【０１５１】
すると、携帯端末装置は、ユーザＩ／Ｆ（２２Ａ０４）を介して前記入力信号を取得し、ＲＡＭ（２２Ａ０２）のデータ領域に保存する。そして、ＲＡＭ（２２Ａ０２）に展開された配分管理プログラムに従い、入力信号を解析し、解析結果に応じてＲＡＭ（２２Ａ０２）に保存している配分情報を書き換える。その後、マルチ画面登録情報から子画面数を取り出し、前記配分情報を利用して子画面の大きさを演算処理する。そして、前記演算処理により求めた子画面の大きさを、マルチ画面登録情報としてＲＡＭ（２２Ａ０２）に保存する。
【０１５２】
その後、マルチ画面表示プログラムに従い、マルチ画面登録情報に応じてコンテンツと属性情報をマルチ画面レイアウトする。そして、マルチ画面レイアウトをディスプレイ（２２Ａ１３）に出力する。
＜実施形態６の処理の流れ＞
【０１５３】
本実施形態の処理の流れの一例を図２２Ｂのフローチャートに示す。
【０１５４】
まず、利用者が入力した、ディスプレイに表示する「子画面表示領域」と「コンテンツ属性情報表示領域」の希望する配分を取得する（Ｓ２２Ｂ０１）。
【０１５５】
すると、入力内容に応じて、保存している配分情報を変更する（Ｓ２２Ｂ０２）。
【０１５６】
その後、マルチ画面登録情報より、子画面表示領域にレイアウトする子画面の数を取得する（Ｓ２２Ｂ０３）。
【０１５７】
そして、一つの子画面の大きさを求める（Ｓ２２Ｂ０４）。
【０１５８】
その後、求めた結果を利用して、子画面表示領域とコンテンツ属性情報表示領域をマルチ画面レイアウトする（Ｓ２２Ｂ０５）。
【０１５９】
そして、マルチ画面レイアウトしたコンテンツと属性情報をディスプレイに出力する（Ｓ２２Ｂ０６）。
＜実施形態６の効果＞
【０１６０】
本実施形態の携帯端末装置は、複数のコンテンツをマルチ画面表示する「子画面表示領域」と、選択された子画面のコンテンツ属性情報を表示する「コンテンツ属性情報表示領域」の配分を変更可能である。また、子画面表示領域の大きさに応じて、レイアウトする子画面の大きさを変更したり、子画面に表示するコンテンツの表示内容を変更したりすることができる。これにより、利用者は、コンテンツと属性情報を、希望する大きさでディスプレイに表示し、閲覧することが可能となる。
＜＜実施形態７＞＞
＜実施形態７の概要＞
【０１６１】
本実施形態の携帯端末装置は、実施形態１などの携帯端末装置を基本とし、さらに、子画面の一つが電話受信の有無を通知するための表示をしている場合、電話を受信すると自動的にポインタがその子画面に位置することを特徴とする。そして、ポインタがその子画面に位置した状態で決定キーなどを押下すると、通話可能な状態になることを特徴とする。
＜実施形態７の機能的構成＞
【０１６２】
図２３に本実施形態における携帯端末装置の機能ブロック図の一例を示す。図２３に示すように、本実施形態の「携帯端末装置」（２３００）は、複数の「コンテンツ取得部」（２３０１）と、「マルチ画面レイアウト部」（２３０２）と、「表示部」（２３０３）を有する。そして、「表示部」（２３０３）は、「識別処理手段」を有する。なお、「表示部」（２３０３）は、「報知識別手段」、「報知識別表示手段」を有してもよい。
【０１６３】
「コンテンツ取得部」（２３０１）と、「マルチ画面レイアウト部」（２３０２）の機能的構成については、実施形態１などと同様であるので、ここでの詳細な説明は省略する。以下、「表示部」（２３０４）の「識別処理手段」、「報知識別手段」、「報知識別表示手段」の機能について説明する。
【０１６４】
「表示部」（２３０３）の「識別処理手段」は、子画面の位置にコンテンツ取得部としての電話機能部からコンテンツの受信を示す情報が出力された場合には、その子画面を他の子画面から識別して表示するよう構成されている。「コンテンツの受信」とは、電話の受信をさす。「コンテンツの受信を示す情報」としては特段制限されず、例えば、「電話あり」などの文字でもよいし、利用者が受信ありと認識可能な絵や記号またはそれらの組み合わせなどでもよい。なお、前記情報を子画面に出力する際には、電話をしてきた相手を示す情報（例：「電話番号」、「氏名（名称）」、「顔写真」など）をあわせて出力してもよい。
【０１６５】
電話の受信を示す情報が出力された際に、「その情報を表示している子画面と他の子画面を識別して表示する方法」としては、例えば、電話の受信を示す情報を出力している子画面のみを点滅させたり、赤く光らせたりしてもよい。または、その子画面に位置したポインタを、点滅させたり、色を変えたりしてもよい。さらに、ディスプレイ上のポインタを自動的にその子画面に位置させてもよい。かかる場合、子画面にポインタが位置する状態で決定キーを押下すると、電話の通信を開始できるよう構成されてもよい。そして、自動でポインタを子画面に位置させた後、一定時間（例：「１５秒」、「３０秒」）決定キーの押下がなされない場合は、自動的にポインタが元の子画面の位置に戻るよう構成されてもよい。一定時間決定キーの押下がない場合は、「通信の意思なし」と考えられるからである。
【０１６６】
「表示部」（２３０３）の「報知識別手段」は、メールまたは電話を受信した際に報知する手段の設定を識別するよう構成されている。報知する手段としては、「音声情報」を出力したり、「バイブレーション（マナーモード）」を出力したり、それらを組み合わせて出力したりするものが考えられる。報知識別手段は、利用者が設定している前記手段を識別するよう構成されている。
【０１６７】
「表示部」（２３０３）の「報知識別表示手段」は、子画面にメールまたは電話の受信を示す情報が登録されている場合には、報知識別手段での識別結果に応じて、設定内容を識別可能に表示するよう構成されている。識別可能に表示する具体例としては、例えば、「バイブレーション（マナーモード）」を出力するよう設定している場合には、当該子画面に網目模様を表示したり、バツ印や斜め線などを表示したりし、「音声情報」、や「音声情報とバイブレーションの組み合わせ」を出力するよう設定している場合と識別可能に表示するよう構成されてもよい。なお、表示部は、メールまたは電話を受信した際に送信相手の電話番号などを表示し、受信した旨を利用者に報知する際にも、前記と同様の手段で設定内容を識別可能に表示するよう構成されてもよい。
【０１６８】
＜実施形態７のハードウェア構成＞
【０１６９】
図２４Ａは、上記機能的構成をハードウェアとして実現した際の構成の一例を表す図である。以下に、図２４Ａのハードウェアを用いて、本実施形態を実現する手段の一例を説明する。
【０１７０】
まず、携帯端末装置は電話を受信すると、ＲＡＭ（２４Ａ０２）に展開された電話受信プログラムに従い、ＲＡＭ（２４Ａ０２）に記憶されている電話の受信を知らせるための情報（電話受信通知データ）を取り出す。そして、マルチ画面表示プログラムに従い、電話受信通知データをマルチ画面レイアウトし、ディスプレイ（２４Ａ１３）に出力する。
＜実施形態７の処理の流れ＞
【０１７１】
本実施形態の処理の流れの一例を図２４Ｂのフローチャートに示す。
【０１７２】
まず、携帯端末装置がマルチ画面表示している時に、電話を受信する（Ｓ２４Ｂ０１）。
【０１７３】
すると、送信相手の電話番号を識別する（Ｓ２４Ｂ０２）。そして、電話の受信を示す情報を表示する子画面に送信相手の電話番号をレイアウトし（Ｓ２４Ｂ０３）、ディスプレイに出力する（Ｓ２４Ｂ０４）。また、電話の受信を報知する手段の設定に応じて（Ｓ２４Ｂ０５）、音声を出力したり（Ｓ２４Ｂ０６）、バイブレーションを出力したり（Ｓ２４Ｂ０７）、音声とバイブレーションの組み合わせを出力したりする（Ｓ２４Ｂ０８）。
＜実施形態７の効果＞
【０１７４】
本実施形態の携帯端末装置により、利用者はマルチ画面表示して複数のコンテンツを閲覧している最中に電話を受信しても、子画面の位置から電話の受信を認識することができる。また、電話の受信を通知している子画面を他の子画面と識別可能に表示し、利用者の注目を引くように構成しているので、他の子画面が表示しているコンテンツに夢中になり電話の受信を見逃してしまうことがない。
【図面の簡単な説明】
【０１７５】
【図１】実施形態１の携帯端末装置のマルチ画面表示を示す概念図
【図２】実施形態１の機能ブロック図
【図３】実施形態１の携帯端末装置のハードウェア構成の一例を示した図
【図４】実施形態１の処理の流れを示すフローチャート
【図５】実施形態２の機能ブロック図
【図６】実施形態２の携帯端末装置のマルチ画面表示を示す概念図１
【図７】実施形態２の携帯端末装置のマルチ画面表示を示す概念図２
【図８】実施形態２の携帯端末装置のマルチ画面表示を示す概念図３
【図９】実施形態２の携帯端末装置のマルチ画面表示を示す概念図４
【図１０Ａ】実施形態２の携帯端末装置のハードウェア構成の一例を示した図
【図１０Ｂ】実施形態２の処理の流れを示すフローチャート
【図１１】実施形態３の携帯端末装置のマルチ画面表示を示す概念図
【図１２】実施形態３の機能ブロック図
【図１３Ａ】実施形態３の携帯端末装置のハードウェア構成の一例を示した図
【図１３Ｂ】実施形態３の処理の流れを示すフローチャート
【図１４】実施形態４の機能ブロック図
【図１５】実施形態４の携帯端末装置のマルチ画面表示を示す概念図
【図１６Ａ】実施形態４の携帯端末装置のハードウェア構成の一例を示した図
【図１６Ｂ】実施形態４の処理の流れを示すフローチャート
【図１７】実施形態５、６の携帯端末装置のマルチ画面表示を示す概念図
【図１８】実施形態５の機能ブロック図
【図１９】実施形態５の携帯端末装置のコンテンツ属性情報を示す概念図
【図２０Ａ】実施形態５の携帯端末装置のハードウェア構成の一例を示した図
【図２０Ｂ】実施形態５の処理の流れを示すフローチャート
【図２１】実施形態６の機能ブロック図
【図２２Ａ】実施形態６の携帯端末装置のハードウェア構成の一例を示した図
【図２２Ｂ】実施形態６の処理の流れを示すフローチャート
【図２３】実施形態７の機能ブロック図
【図２４Ａ】実施形態７の携帯端末装置のハードウェア構成の一例を示した図
【図２４Ｂ】実施形態７の処理の流れを示すフローチャート
【図２５】マルチ画面登録情報の一例
【符号の説明】
【０１７６】
１７０１    マルチ画面表示領域
１７０２    コンテンツ属性情報表示領域
１７０３    メディア欄
１７０４    詳細内容欄
１７０５    コンテンツ欄
１７０６    境界線
【図１】
0004945017.tif 000002
【図２】
0004945017.tif 000003
【図３】
0004945017.tif 000004
【図４】
0004945017.tif 000005
【図５】
0004945017.tif 000006
【図６】
0004945017.tif 000007
【図７】
0004945017.tif 000008
【図８】
0004945017.tif 000009
【図９】
0004945017.tif 000010
【図１０Ａ】
0004945017.tif 000011
【図１０Ｂ】
0004945017.tif 000012
【図１１】
0004945017.tif 000013
【図１２】
0004945017.tif 000014
【図１３Ａ】
0004945017.tif 000015
【図１３Ｂ】
0004945017.tif 000016
【図１４】
0004945017.tif 000017
【図１５】
0004945017.tif 000018
【図１６Ａ】
0004945017.tif 000019
【図１６Ｂ】
0004945017.tif 000020
【図１７】
0004945017.tif 000021
【図１８】
0004945017.tif 000022
【図１９】
0004945017.tif 000023
【図２０Ａ】
0004945017.tif 000024
【図２０Ｂ】
0004945017.tif 000025
【図２１】
0004945017.tif 000026
【図２２Ａ】
0004945017.tif 000027
【図２２Ｂ】
0004945017.tif 000028
【図２３】
0004945017.tif 000029
【図２４Ａ】
0004945017.tif 000030
【図２４Ｂ】
0004945017.tif 000031
【図２５】
0004945017.tif 000032